(57)【要約】【課題】  組立，分解が簡単で汎用のパレットを用いることができる組立式コンテナを提供する。【解決手段】  矩形をなすパレットの辺縁部に沿って４枚の側面パネル２０を設置する。側面パネル２０は、パネル本体２１と、その左右の側縁部に固定された押出型材からなる縦フレーム２２，２３と、パネル本体２１の下縁部に固定されパネル本体２１の下縁部から下方に突出する押さえ部材とを有している。隣接する側面パネル２０の縦フレーム２２，２３同士は、互いに回動不能に嵌り合う嵌合部２２ｃ，２３ｃを有し、一方の縦フレーム２２に対して他方の縦フレーム２３をその長手方向に移動させることにより、嵌合および嵌合の解除がなされるようになっている。４枚の側面パネル２０は、パレットの辺縁部にそれぞれ載った状態で、縦フレーム２２，２３同士の嵌合により互いに連結され、それぞれの押さえ部材がパレットの辺縁部に係止される。【選択図】  図５
2007099325.tif 000002
【特許請求の範囲】
【請求項１】
矩形をなすパレットの４つの辺縁部にそれぞれ設置される側面パネルを備えた組立式コンテナ用パネルセットであって、
各側面パネルは、矩形をなすパネル本体と、その左右の側縁部に固定された押出型材からなる縦フレームと、パネル本体の下縁部に固定されパネル本体の下縁部から下方に突出する押さえ部材とを有し、
隣接する側面パネルの縦フレーム同士は、互いに回動不能に嵌り合う嵌合部を有し、一方の側面パネルを他方の側面パネルに対して縦フレームの長手方向に移動させることにより、縦フレーム同士の嵌合および嵌合の解除がなされるようになっており、
上記側面パネルは、上記パレットの辺縁部にそれぞれ載った状態で、上記縦フレーム同士の嵌合により互いに連結され、それぞれの押さえ部材がパレットの辺縁部に係止されることを特徴とする組立式コンテナ用パネルセット。
【請求項２】
正方形をなすパレットに設置されるものであって、各側面パネルが同一構造をなし、各側面パネルの一方の縦フレームが雌型の嵌合部を有し、他方の縦フレームが雄型の嵌合部を有することを特徴とする請求項１に記載の組立式コンテナ用パネルセット。
【請求項３】
矩形をなすパレットの４つの辺縁部にそれぞれ設置される側面パネルを備えた組立式コンテナ用パネルセットであって、
上記パレットの少なくとも１つの辺縁部に複数の側面パネルが、面一をなして上下に重なるようにして設置され、
各側面パネルは、矩形をなすパネル本体と、その左右の側縁部に固定された押出型材からなる縦フレームとを備え、
周方向に隣接する側面パネルの縦フレーム同士は、互いに回動不能に嵌り合う嵌合部を有し、一方の側面パネルを他方の側面パネルに対して縦フレームの長手方向に移動させることにより、縦フレーム同士の嵌合および嵌合の解除がなされるようになっており、
パレットの４つの辺縁部において最も上に配置される側面パネルの上縁部は同一高さをなし、
パレットの４つの辺縁部において最も下に配置される側面パネルは、パネル本体の下縁部に固定されパネル本体の下縁部から下方に突出する押さえ部材を有し、上記パレットの辺縁部にそれぞれ載った状態で、それぞれの押さえ部材がパレットの辺縁部に係止されることを特徴とする組立式コンテナ用パネルセット。
【請求項４】
上記側面パネルは、第１側面パネルと、第１側面パネルの半分の高さの第２側面パネルとを含むことを特徴とする請求項３に記載の組立式コンテナ用パネルセット。
【請求項５】
上記パレットの４つの辺縁部にそれぞれ複数の側面パネルが上下に面一をなして配置され、
上記側面パネルは、互いに同一高さをなす偶数枚の第１側面パネルと、第１側面パネルの半分の高さをなす４枚の第２側面パネルとを備え、
パレットの４つの辺縁部において最も下に配置される側面パネルは、２枚の第１パネルと２枚の第２パネルからなり、最も上に配置される側面パネルも２枚の第１パネルと２枚の第２パネルからなることを特徴とする請求項３に記載の組立式コンテナ用パネルセット。
【請求項６】
上記押さえ部材が押出型材からなり、側面パネルの下縁部に沿って延びていることを特徴とする請求項１〜５のいずれかに記載の組立式コンテナ用パネルセット。
【請求項７】
さらに、浅い箱形状の蓋を備え、この蓋がパレットに設置された側面パネルの上縁部に被せられることにより、側面パネルに囲われた収容空間が覆われるようになっており、この蓋が分解状態の側面パネルを収容することを特徴とする請求項１〜６のいずれかに記載の組立式コンテナ用パネルセット。
【請求項８】
上記側面パネルのパネル本体がプラスチック製の中空板材または発泡板材からなり、このパネル本体の上縁部および下縁部には押出型材からなる上フレーム，下フレームがそれぞれ固定されており、これら上下のフレームおよび左右の縦フレームが互いに連結されて、パネル本体を囲っており、上記押さえ部材が下フレームに一体または別体をなして設けられていることを特徴とする請求項１〜７のいずれかに記載の組立式コンテナ用パネルセット。
【請求項９】
矩形をなすパレットと、このパレットの４つの辺縁部に設置される側面パネルとを備えた組立式コンテナにおいて、
各側面パネルは、矩形をなすパネル本体と、その左右の側縁部に固定された押出型材からなる縦フレームと、パネル本体の下縁部に固定されパネル本体の下縁部から下方に突出する押さえ部材とを有し、
隣接する側面パネルの縦フレーム同士は、互いに回動不能に嵌り合う嵌合部を有し、一方の側面パネルを他方の側面パネルに対して縦フレームの長手方向に移動させることにより、縦フレーム同士の嵌合および嵌合の解除がなされるようになっており、
上記側面パネルは、上記パレットの辺縁部にそれぞれ載った状態で、上記縦フレーム同士の嵌合により互いに連結され、それぞれの押さえ部材がパレットの辺縁部に係止されることを特徴とする組立式コンテナ。
【発明の詳細な説明】
【技術分野】
【０００１】
本発明は、パレットに設置すべき側面パネルを備えた組立式コンテナ用パネルセットおよびこのパネルセットとパレットを備えた組立式コンテナに関する。
【背景技術】
【０００２】
荷物の保管等に用いられる組立式コンテナは公知であり、種々の形態が開発されている。例えば、特許文献１に記載のものは、４枚の側面パネルを種々形状のジョイントを用いて互いに連結するとともにパレットに連結することにより構成されている。
【０００３】
また、特許文献２に記載の組立式コンテナは、側面パネルをヒンジにより折り畳み可能に連結し、これら側面パネルとパレットとをジョイントにより連結することにより、構成されている。
【特許文献１】特許第３４６７１６６号公報
【特許文献２】特許第３０５３３６７号公報
【発明の開示】
【発明が解決しようとする課題】
【０００４】
特許文献１の組立式コンテナは、多数のジョイントを必要とするため部品点数が多く、組立作業が煩雑であるばかりか、一旦組み立てた後に再分解するのが煩雑であった。
特許文献２の組立式コンテナは、非使用時に側面パネルを折り畳むことができるが、使用時に側面パネル同士の回動を規制する部材を取り付ける必要があった。また、パレットと側面パネルとの連結のためにジョイントを必要とするため、部品点数が多かった。さらに、パレットと側面パネルとを再分解する作業が煩雑であった。
また、特許文献１、２では、組立式コンテナ専用のパレットを用いることを余儀なくされるため、単体で使用していた汎用のパレットを利用してコンテナを組み立てることはできなかった。
【課題を解決するための手段】
【０００５】
上記課題を解決するため、本発明の一態様は、矩形をなすパレットの４つの辺縁部にそれぞれ設置される側面パネルを備えた組立式コンテナ用パネルセットであって、各側面パネルは、矩形をなすパネル本体と、その左右の側縁部に固定された押出型材からなる縦フレームと、パネル本体の下縁部に固定されパネル本体の下縁部から下方に突出する押さえ部材とを有し、隣接する側面パネルの縦フレーム同士は、互いに回動不能に嵌り合う嵌合部を有し、一方の側面パネルを他方の側面パネルに対して縦フレームの長手方向に移動させることにより、縦フレーム同士の嵌合および嵌合の解除がなされるようになっており、上記側面パネルは、上記パレットの辺縁部にそれぞれ載った状態で、上記縦フレーム同士の嵌合により互いに連結され、それぞれの押さえ部材がパレットの辺縁部に係止されることを要旨とする。
【０００６】
上記構成によれば、側面パネル同士の連結を、一方の側面パネルに対して他方の側面パネルを上から落とすだけの簡単な作業で行なえる。しかも側面パネルをパレットに載せるだけの簡単な作業で、側面パネルのパレットへの設置を行なえる。このようにして、コンテナの組立作業を簡略化することができる。また、側面パネル同士の分解，側面パネルとパレットの分解も簡単である。
側面パネルの押さえ部材がパレットの辺縁部に係止されることにより、側面パネルをパレットに安定して設置することができる。
側面パネルの縦フレーム同士の嵌合は回動不能であるから、回動を規制する部材を別途必要としない。また、側面パネル同士の連結および側面パネルとパレットとの間の連結のためのジョイントを、全くまたは殆ど必要としない。その結果、部品点数を大幅に削減できる。
パレットは専用のものである必要がなく、汎用のものを用いることができる。そのため、単独で使用していたパレットに本発明のパネルセットを足して、コンテナを構成することもできる。
【０００７】
好ましくは、正方形をなすパレットに設置されるものであって、各側面パネルが同一構造をなし、各側面パネルの一方の縦フレームが雌型の嵌合部を有し、他方の縦フレームが雄型の嵌合部を有する。この構成によれば、側面パネルが同一構造であるので、製造コストを低減させることができる。
【０００８】
本発明の他の態様は、矩形をなすパレットの４つの辺縁部にそれぞれ設置される側面パネルを備えた組立式コンテナ用パネルセットであって、上記パレットの少なくとも１つの辺縁部に複数の側面パネルが、面一をなして上下に重なるようにして設置され、各側面パネルは、矩形をなすパネル本体と、その左右の側縁部に固定された押出型材からなる縦フレームとを備え、周方向に隣接する側面パネルの縦フレーム同士は、互いに回動不能に嵌り合う嵌合部を有し、一方の側面パネルを他方の側面パネルに対して縦フレームの長手方向に移動させることにより、縦フレーム同士の嵌合および嵌合の解除がなされるようになっており、パレットの４つの辺縁部において最も上に配置される側面パネルの上縁部は同一高さをなし、パレットの４つの辺縁部において最も下に配置される側面パネルは、パネル本体の下縁部に固定されパネル本体の下縁部から下方に突出する押さえ部材を有し、上記パレットの辺縁部にそれぞれ載った状態で、それぞれの押さえ部材がパレットの辺縁部に係止されることを要旨とする。
この構成によれば、上記発明の一態様と同様の作用効果が得られる。
【０００９】
好ましくは、上記側面パネルは、第１側面パネルと、第１側面パネルの半分の高さの第２側面パネルとを含む。この構成によれば、種々の高さ，形状のコンテナを組み立てることができる。
好ましくは、上記パレットの４つの辺縁部にそれぞれ複数の側面パネルが上下に面一をなして配置され、上記側面パネルは、互いに同一高さをなす偶数枚の第１側面パネルと、第１側面パネルの半分の高さをなす４枚の第２側面パネルとを備え、パレットの４つの辺縁部において最も下に配置される側面パネルは、２枚の第１パネルと２枚の第２パネルからなり、最も上に配置される側面パネルも２枚の第１パネルと２枚の第２パネルからなる。この構成によれば、コンテナの高さを自在に調節することができる。
【００１０】
好ましくは、上記押さえ部材が押出型材からなり、側面パネルの下縁部に沿って延びている。この構成によれば、側面パネルをより一層安定してパレット上に設置することができる。
【００１１】
好ましくは、さらに、浅い箱形状の蓋を備え、この蓋がパレットに設置された側面パネルの上縁部に被せられることにより、側面パネルに囲われた収容空間が覆われるようになっており、この蓋が分解状態の側面パネルを収容する。この構成によれば、非使用時にパネルセットを保管したり運ぶのに便利である。
【００１２】
好ましくは、上記側面パネルのパネル本体がプラスチック製の中空板材または発泡板材からなり、このパネル本体の上縁部および下縁部には押出型材からなる上フレーム，下フレームがそれぞれ固定されており、これら上下のフレームおよび左右の縦フレームが互いに連結されて、パネル本体を囲っており、上記押さえ部材が下フレームに一体または別体をなして設けられている。この構成によれば、軽量かつ強度の高い側面パネルが得られる。
【００１３】
本発明のさらに他の態様は、矩形をなすパレットと、このパレットの４つの辺縁部に設置される側面パネルとを備えた組立式コンテナにおいて、各側面パネルは、矩形をなすパネル本体と、その左右の側縁部に固定された押出型材からなる縦フレームと、パネル本体の下縁部に固定されパネル本体の下縁部から下方に突出する押さえ部材とを有し、隣接する側面パネルの縦フレーム同士は、互いに回動不能に嵌り合う嵌合部を有し、一方の側面パネルを他方の側面パネルに対して縦フレームの長手方向に移動させることにより、縦フレーム同士の嵌合および嵌合の解除がなされるようになっており、上記側面パネルは、上記パレットの辺縁部にそれぞれ載った状態で、上記縦フレーム同士の嵌合により互いに連結され、それぞれの押さえ部材がパレットの辺縁部に係止されることを要旨とする。
この構成によれば、本発明のパネルセットと同様の作用効果が得られる。
【発明の効果】
【００１４】
以上説明したように本発明の組立式コンテナ用パネルセットおよび組立式コンテナによれば、組立，分解が簡単で、側面パネルをパレットに安定して設置でき、部品点数が少なく低コストであり、しかも汎用のパレットを用いることができる。
【発明を実施するための最良の形態】
【００１５】
以下、本発明の第１実施形態をなす組立式コンテナについて図面を参照しながら説明する。図１に示すように組立式コンテナは、パレット１０と、このパレット１０に設置される４枚の側面パネル２０と、これら側面パネル２０に被せられる蓋３０とを備えている。
【００１６】
パレット１０としては、単独で保管，搬送に用いられる汎用のパレットを用いることができる。その詳細な構造の図示，説明は省略する。本実施形態では平面形状が正方形（矩形）をなしている。
【００１７】
４枚の側面パネル２０は、同一構造をなしており、図３に示すように、パネル本体２１と、このパネル本体２１の左右縁部に固定された縦フレーム２２，２３と、上縁部に固定された上フレーム２４と、下縁部に固定された下フレーム２５と、下フレーム２５に固定された押さえ部材２６とを備えている。
【００１８】
上記パネル本体２１はプラスチック製ダンボール（中空板材）からなり、２枚の平坦なシート間に波形シートを配することにより構成されている。また、フレーム２２〜２５および押さえ部材２６はアルミ押出型材からなる。パネル本体２１を囲うようにして、縦フレーム２２，２３に上下フレーム２４，２５を連結することにより、軽量かつ高強度の側面パネル２０が得られる。
【００１９】
図４に最も良く示すように、一方の縦フレーム２２は、中空をなす基部２２ａと、この基部２２ａから突出する互いに平行な一対の挟持板部２２ｂと、基部２２ａに形成された雌型嵌合部２２ｃとを有している。一対の挟持板部２２ｂ間にパネル本体２１の側縁部を嵌め込むようにして、縦フレーム２２がパネル本体２１の側縁部に固定されている。この縦フレーム２２の固定状態において、基部２２ａはパネル本体２１の側縁部に対して幅方向に隣接して配置されている。雌型嵌合部２２ｃは、基部２２ａの平坦面２２ｘ（この平坦面２２ｘはパネル本体２１と平行をなす）に開口する凹部からなり、この凹部は断面非円形で、奥に向かって幅広をなしている。
【００２０】
他方の縦フレーム２３は、細長い平板形状の基部２３ａと、この基部２３ａから突出する互いに平行な一対の挟持板部２３ｂと、基部２３ａから挟持板部２３ｂと反対側に突出する雄型嵌合部２２ｃとを有している。一対の挟持板部２３ｂ間にパネル本体２１の側縁部を嵌め込むようにして、縦フレーム２３がパネル本体２１の側縁部に固定されている。この縦フレーム２３の固定状態において、基部２３ａはパネル本体２１の側縁部に対して幅方向に隣接して配置されている。雄型嵌合部２２ｃは断面略Ｖ字形をなし、先端に向かって幅広をなす。
【００２１】
図２に示すように、上フレーム２４は断面略コ字形をなし、パネル本体２１の上縁部を嵌め込むとともに縦フレーム２２，２３の挟持板部２２ｂ，２３ｂの上端部を覆うようにして、パネル本体２１の上縁部に固定されている。
【００２２】
下フレーム２５も上フレーム２４と同じ断面形状をなし、パネル本体２１の下縁部を嵌め込むとともに縦フレーム２２，２３の挟持板部２２ｂ，２３ｂの下端部を覆うようにして、パネル本体２１の下縁部に固定されている。
【００２３】
なお、上記フレーム２２〜２５は、パネル本体２１の縁部に直接固定されず、フレーム２２〜２５同士を互いに連結することにより、実質的にパネル本体２１の縁部に固定される構成であってもよい。
【００２４】
図１，図２に示すように、押さえ部材２６は、下フレーム２５に沿って延び、断面略Ｚ字形をなし、下フレーム２６の側面に固定される固定部２６ａと、この固定部２６ａの下縁から固定部２６ａと直交して水平に張り出す張り出し部２６ｂと、この張り出し部２６ｂの先端縁から下方に延びる押さえ部２６ｃとを有している。
【００２５】
蓋３０は、パレット１０とほぼ等しい平面形状の浅い箱形をなし、図１に示すように、プラスチック製ダンボールからなる平板形状の蓋本体３１と矩形のフレーム３２によって構成されている。なお、図２では蓋３０を簡略化して示す。蓋本体３１とフレーム３２の一部により、蓋３０の上壁部３０ａが構成され、フレーム３２の残部により周壁部３０ｂが構成されている。
【００２６】
次に、コンテナの組立作業について説明する。
パレット２０上において、図５に示すように４枚の側面パネル２０を連結する。すなわち、１つの側面パネル２０を、その押さえ部材２６の押さえ部２６ｃをパレット１０の辺縁部に当てて位置決めした状態で、パレット１０の辺縁部に載せる。次に、他の側面パネル２０を上から落とし込むことにより、最初に設置した側面パネル２０の縦フレーム２２の雌型嵌合部２２ｃに当該他の側面パネル２０の縦枠２３の雄型嵌合部２３ｃを上から差し込む。当該他の側面パネル２０は、パレット１０の隣接する辺縁部に載るとともに、押さえ部材２６により位置決めされる。上記縦フレーム２２，２３同士の嵌合状態において、縦フレーム２３の基部２３ａが、縦フレーム２２の基部２２ａの平坦面２２ｘに当たっている。
【００２７】
同様にして、順次側面パネル２０の連結を行なう。その結果、４枚の側面パネル２０が互いに連結されてパレット１０の４つの辺縁部に載り、図２、図５に示すように、平面形状が正方形をなす収容空間４０が形成される。側面パネル２０の上縁部は同一高さをなす。
【００２８】
上述したように、側面パネル２０と別部材をなすジョイントを用いることなく、簡単な作業でコンテナを組み立てることができる。収容空間４０に荷物を収容した後、蓋３０を被せて収容空間４０を塞ぐ。
【００２９】
４枚の側面パネル２０の押さえ部材２６がパレット１０の辺縁部に係止されるので、これら側面パネル２０はパレット１０に安定して設置することができる。
【００３０】
上記のように組み立てたコンテナは、簡単に分解することができる。すなわち、蓋３０を外し、側面パネル２０を他の側面パネル２０から順次抜き取ればよい。これにより、パレット１０は、単独で用いることもできる。分解した側面パネル２０は、蓋３０に収容して保管または運搬することができる。
【００３１】
次に本発明の他の実施形態について説明する。これら実施形態おいて、先行する実施形態に対応する構成部には同番号または類似の番号を付してその詳細な説明を省略する。
図６に示す第２実施形態では、２種類の側面パネルすなわち２枚の第１側面パネル２０Ａと４枚の第２側面パネル２０Ｂとを用意する。第１側面パネル２０Ａは、第１実施形態の側面パネル２０と同一の寸法，構造をなす。第２側面パネル２０Ｂは第１側面パネル２０Ａと同じ幅で高さが半分である。その基本構造は第１側面パネル２０Ａと同様である。
【００３２】
上記第２実施形態では、２枚の第２側面パネル２０Ｂを第１実施形態と同様に互いに嵌合させてパレット１０の２つの辺縁部に設置する。図６（Ｂ）参照。
次に、第１側面パネル２０Ａを互いに嵌合させるとともに第２側面パネル２０Ｂに嵌合させて、パレット１０の他の２つの辺縁部に設置する。図６（Ｃ）参照．
次に、他の２枚の第２側面パネル２０Ｂを互いに嵌合させるとともに第１側面パネル２０Ａに嵌合させて、最初に設置した第２側面パネル２０Ｂの上に面一をなして載せる。図６（Ｄ）参照。
第１側面パネル２０Ａと上側の第２側面パネル２０Ｂの上縁部は同じ高さをなしており、この上縁部に蓋３０を被せる。図６（Ｅ）参照。
【００３３】
上記第２実施形態では、最初に低い第２側面パネル２０Ｂから設置し始めるので、組立作業が楽になる。また、図６（Ｃ）の状態で荷を収容できるので便利である。
第２実施形態において、２枚の第１側面パネル２０Ａと下側の２枚の第２側面パネル２０Ｂは、第１実施形態の押さえ部材２６が必要である。
【００３４】
図７に示す第３実施形態では、４枚の第１側面パネル２０Ａと４枚の第２側面パネル２０Ｂとを用意する。図７（Ａ）〜（Ｃ）の工程は第２実施形態の図６（Ａ）〜（Ｃ）の工程と同様であるから説明を省略する。
次に、他の２枚の第１側面パネル２０Ａを互いに嵌合させるとともに、前工程で設置した２枚の第１側面パネル２０Ａに嵌合させ、最初に設置した２枚の第２側面パネル２０Ｂの上に面一をなして載せる。図７（Ｄ）参照。
【００３５】
次に、他の２枚の第２側面パネル２０Ｂを互いに嵌合させるとともに周方向に隣接する第１側面パネル２０Ａに嵌合させ、図７（Ｃ）の工程で設置した２枚の第１側面パネル２０Ａの上に面一をなして載せる。図７（Ｅ）参照。
上側の２枚の第１側面パネル２０Ａと上側の２枚の第２側面パネル２０Ｂの上縁部は同じ高さをなしており、この上縁部に蓋３０を被せる。図７（Ｆ）参照。
【００３６】
上記のようにして、第１，第２実施形態の１．５倍の高さのコンテナを組み立てることができる。
なお、この実施形態では、下側の２枚の第１側面パネル２０Ａと下側の２枚の第２側面パネル２０Ｂは、第１実施形態の押さえ部材２６が必要である。
【００３７】
図７の第３実施形態において、さらに２枚の第１側面パネル２０Ａを足せば、第１，第２実施形態の２倍の高さのコンテナを組み立てることができる。すなわち、図７（Ｄ）の工程の後に、さらに２枚の第１側面パネル２０Ａを互いに嵌合させるとともに、その前に設置した２枚の第１側面パネル２０Ａに嵌合させ、最初に設置した２枚の第１側面パネル２０Ａの上に面一をなして載せる。図７（Ｇ）参照。
次に、図７（Ｅ），（Ｆ）の工程と同様にして２枚の第２側面パネル２０Ｂと蓋３０の設置を行なう。図７（Ｈ），（Ｉ）参照。
【００３８】
図８の第４実施形態は、図７と同じ枚数の第１，第２側面パネル２０Ａ，２０Ｂを用意する。異なるのは最初に第１側面パネル２０Ａと第２側面パネル２０Ｂを１枚ずつパレット１０に設置し（図８（Ｂ））参照、次に、第１側面パネル２０Ａと第２側面パネル２０Ｂを１枚ずつ設置して、第１側面パネル２０Ａ同士，第２側面パネル２０Ｂ同士を対向して配置する（図８（Ｃ）参照）点である。他は図７と同様であるから説明を省略する。
【００３９】
図７，図８の実施形態では、第１側面パネル２０Ａが周方向の一方側に隣接する２枚の側面パネルに連結され、他方側に隣接する２枚の側面パネルに連結されるので、コンテナを高くしても高い強度を維持できる。
【００４０】
図７，図８の実施形態は、パレット１０が正方形の場合について説明したが、パレットが長方形の場合には、第１側面パネル２０Ａは、幅の異なるものを２種類，それぞれ偶数枚用意する必要がある。また、第２側面パネル２０Ｂは、図７（Ｆ），図８（Ｆ）の高さのコンテナを組み立てる場合には、幅の異なるものを２種類，それぞれ２枚用意し、図７（Ｉ），図８（Ｉ）の高さのコンテナを組み立てる場合には、同幅のものを４枚用意する。
【００４１】
本発明は上記実施形態に制約されず、種々の形態を採用可能である。例えば、パレットは長方形（矩形）でもよい。押さえ部材は下フレームと一体でもよい。
また、対向する２つの側面パネルの左右の縦フレームに雌型の嵌合部を設け、他の対向する２つの側面フレームの左右の縦フレームに雄型の嵌合部を設けるようにしてもよい。
側面パネルのパネル本体には、プラスチック製のダンボールの外に、プラスチック製の成形板材や発泡板材、例えばポリカーボネート中空成形板材，ポリプロピレンの発泡板材を用いてもよい。
【図面の簡単な説明】
【００４２】
【図１】本発明の第１実施形態をなす組立式コンテナの斜視図である。
【図２】同コンテナの縦断面図である。
【図３】同コンテナに用いられる側面パネルの正面図である。
【図４】同側面パネルの横断面図である。
【図５】同側面パネルを連結して収容空間を形成した状態を示す横断面図である。
【図６】（Ａ）〜（Ｅ）は、本発明の第２実施形態をなす組み立て式コンテナの組立工程を順に説明する斜視図である。
【図７】（Ａ）〜（Ｆ）は、本発明の第３実施形態をなす組み立て式コンテナの組立工程を順に説明する斜視図であり、（Ｇ）〜（Ｉ）は（Ｅ），（Ｆ）に代わって実施される工程を示す斜視図である。
【図８】（Ａ）〜（Ｆ）は、本発明の第４実施形態をなす組み立て式コンテナの組立工程を順に説明する斜視図であり、（Ｇ）〜（Ｉ）は（Ｅ），（Ｆ）に代わって実施される工程を示す斜視図である。
【符号の説明】
【００４３】
１０  パレット
２０  側面パネル
２０Ａ  第１側面パネル
２０Ｂ  第２側面パネル
２１  パネル本体
２２  縦フレーム
２２ｃ  雌型嵌合部
２３  縦フレーム
２３ｃ  雄型嵌合部
２４  上フレーム
２５  下フレーム
２６  押さえ部材
３０  蓋
４０  収容空間
【図１】
2007099325.tif 000003
【図２】
2007099325.tif 000004
【図３】
2007099325.tif 000005
【図４】
2007099325.tif 000006
【図５】
2007099325.tif 000007
【図６】
2007099325.tif 000008
【図７】
2007099325.tif 000009
【図８】
2007099325.tif 000010